(57)【要約】      （修正有）【課題】視聴する番組を決定する際の選局操作に係る手間を軽減し、視聴者が視聴する番組を容易に決定できるようにする。【解決手段】テレビジョン受像機は、任意の２以上の放送局について、予め定められた間隔よりも短い間隔で行われた選局操作が、予め定められた回数繰り返して行われた場合、ディスプレイの画面表示を複数画面表示に切り替える表示画面制御部３１２を備え、視聴者が同時に複数の放送番組の内容を確認できる。【選択図】図３
2013115766.tif 000002
【特許請求の範囲】
【請求項１】
表示手段の画面表示を制御する表示制御装置であって、
予め定められた条件を満たす選局操作が、予め定められた回数行われた場合、前記表示手段の画面表示を、複数画面表示に切り替える表示画面制御手段
を備えることを特徴とする表示制御装置。
【請求項２】
前記表示画面制御手段は、
予め定められた間隔よりも短い間隔で行われた選局操作が、予め定められた回数行われた場合、前記表示手段の画面表示を、複数画面表示に切り替える
ことを特徴とする請求項１に記載の表示制御装置。
【請求項３】
前記表示画面制御手段は、
任意の２以上の放送局の各々を選局する選局操作が、予め定められた回数行われた場合、前記表示手段の画面表示を、前記２以上の放送局の各々が選局された状態の複数画面表示に切り替える
ことを特徴とする請求項１に記載の表示制御装置。
【請求項４】
前記表示画面制御手段は、
前記表示手段の画面表示が前記複数画面表示に切り替えられている状態において、当該複数画面表示において選局されている複数の放送局のうちのいずれか一の放送局をさらに選局する選局操作が行われた場合、当該一の放送局の画面のサイズの比率が高くなるように、当該一の放送局の画面のサイズと他の放送局の画面のサイズとの比率を変更する
ことを特徴とする請求項１から３のいずれか一項に記載の表示制御装置。
【請求項５】
請求項１から４のいずれか一項に記載の表示制御装置を備えたことを特徴とするテレビジョン受像機。
【請求項６】
表示手段の画面表示を制御する表示制御方法であって、
予め定められた条件を満たす選局操作が、予め定められた回数行われた場合、前記表示手段の画面表示を、複数画面表示に切り替える表示画面制御工程
を含むことを特徴とする表示制御方法。
【請求項７】
コンピュータを請求項１から４のいずれか一項に記載の表示制御装置として機能させるためのプログラムであって、前記コンピュータを前記表示制御装置が備える前記各手段として機能させるプログラム。
【請求項８】
請求項７に記載のプログラムを記録しているコンピュータ読み取り可能な記録媒体。
【発明の詳細な説明】
【技術分野】
【０００１】
本発明は、表示手段の画面表示を制御することが可能な表示制御装置、テレビジョン受像機、表示制御方法、プログラム、および記録媒体に関する。
【背景技術】
【０００２】
近年、多くのテレビジョン受像機では、地上デジタル放送やＢＳ／ＣＳデジタル放送等、様々な放送局の番組を視聴することが可能となっている。視聴者は、嗜好するジャンルの番組を視聴するために、テレビ番組表等を利用して、視聴可能な多数の番組の中から嗜好するジャンルの番組を探し出し、その番組を放送する放送局を選局する選局操作を行う必要があった。
【０００３】
また、嗜好するジャンルの複数の番組が同時に放送されている場合もある。例えば、嗜好するジャンルの２つの番組が同時に放送されている場合、視聴者は、一方の視聴を断念したり、一方の番組を録画して後日視聴したり、頻繁に選局操作を行って双方の番組を交互に視聴することもあった。
【０００４】
このように、視聴者が嗜好するジャンルの複数の番組を視聴するためには、手間や時間が係る等、様々な不都合が生じていた。そこで、従来、このような不都合を軽減し、嗜好するジャンルの複数の番組を、容易に視聴者に視聴させるための、様々な技術が考案されている。
【０００５】
例えば、下記特許文献１には、視聴者の好みのジャンル又はキーワードを条件として予め記憶しておき、この条件に合致する番組が所定時間視聴された後、この番組から他の番組にチャンネルが切り替えられると、この番組と他の番組とを２画面表示するテレビジョンシステムが開示されている。このテレビジョンシステムによれば、他の番組の視聴中も、元の番組の進行状態を確認することができるとされている。
【先行技術文献】
【特許文献】
【０００６】
【特許文献１】特開２００８−１６７０８３号公報（２００８年７月１７日公開）
【発明の概要】
【発明が解決しようとする課題】
【０００７】
一方、視聴者は、テレビ番組表に拠らず、ザッピングと呼ばれる頻繁な選局操作行うことにより、現在放送されている複数の番組の中から、視聴する番組を決定する場合がある。テレビ番組表に示されている情報だけでは、視聴する番組を決定しきれず、実際に放送されている複数の番組の各々を一部視聴して、これらを比較することにより、これから視聴する番組を決定する場合があるからである。
【０００８】
この場合、視聴者は、選局操作に応じて表示される放送番組がめまぐるしく変わる中、タイミング良く所望するシーンが表示されたときに、そのときに選局されていた放送番組を視聴する放送番組として決定することが多い。それだけでなく、より好ましい放送番組を求めて、さらに選局操作を行う場合がある。このため、視聴する放送番組を決定するためには、多くの手間や時間が必要となっていた。
【０００９】
特許文献１に記載の技術は、条件を予め設定しておく必要があるうえに、このように選局操作を繰り返し行うことにより視聴する番組を決定することは想定されておらず、例え特許文献１に記載の技術を利用したとしても、依然として、視聴する放送番組を決定するためには、多くの手間や時間が必要となる。
【００１０】
本発明は、上記の問題に鑑みてなされたものであり、その目的は、視聴する番組を決定する際の選局操作に係る、視聴者の手間を軽減することにある。
【課題を解決するための手段】
【００１１】
上記した課題を解決するため、本発明に係る表示制御装置は、表示手段の画面表示を制御する表示制御装置であって、予め定められた条件を満たす選局操作が、予め定められた回数行われた場合、前記表示手段の画面表示を、複数画面表示に切り替える表示画面制御手段を備えることを特徴とする。
【００１２】
本発明によれば、どの番組を視聴しようか迷っているために、予め定められた条件を満たす選局操作が繰り返し行われると、自動的に複数画面表示に切り替える。視聴者は、この複数画面表示により、同時に複数の放送番組の内容を確認することができるため、視聴する番組を容易に決定することができる。また、事前の設定や切り替え操作を視聴者に行わせることなく、自動的に複数画面表示に切り替えるため、視聴者の手間を軽減することができる。
【００１３】
上記表示制御装置において、前記表示画面制御手段は、予め定められた間隔よりも短い間隔で行われた選局操作が、予め定められた回数行われた場合、前記表示手段の画面表示を、複数画面表示に切り替えることが好ましい。
【００１４】
この構成によれば、どの番組を視聴しようか迷っているために、短い間隔の選局操作が繰り返し行われると、自動的に複数画面表示に切り替えることとなる。これにより、視聴者がどの番組を視聴しようか迷っているタイミングを適切に捕捉し、その適切なタイミングで、複数画面表示に切り替えることができる。
【００１５】
上記表示制御装置において、前記表示画面制御手段は、任意の２以上の放送局の各々を選局する選局操作が、予め定められた回数行われた場合、前記表示手段の画面表示を、前記２以上の放送局の各々が選局された状態の複数画面表示に切り替えることが好ましい。
【００１６】
この構成によれば、任意の複数の番組のいずれを視聴しようか迷っているために、これら複数の番組の各々を選局する選局操作が繰り返し行われると、自動的にこれら複数の番組の複数画面表示に切り替えることとなる。これにより、視聴者がどの番組を視聴しようか迷っているタイミングを適切に捕捉し、その適切なタイミングで、複数画面表示に切り替えることができる。
【００１７】
また、視聴の候補となっている複数の番組が複数番組表示されるため、さらなる選局操作等を行うことなく、視聴者はこれら複数の番組の中からどの番組を視聴するかを検討することができる。
【００１８】
上記表示制御装置において、前記表示画面制御手段は、前記表示手段の画面表示が前記複数画面表示に切り替えられている状態において、当該複数画面表示において選局されている複数の放送局のうちのいずれか一の放送局をさらに選局する選局操作が行われた場合、当該一の放送局の画面のサイズの比率が高くなるように、当該一の放送局の画面のサイズと他の放送局の画面のサイズとの比率を変更することが好ましい。
【００１９】
この構成によれば、ユーザは、任意の一の放送局の画面のサイズが拡大されることによって、その放送局の番組の内容の詳細を容易に確認することができる。特に、選局操作によって画面のサイズを拡大することができるので、ユーザは、慣れない操作を行ったりする必要がなく、普段から使い慣れている選局操作によって、直感的かつ容易に、画面サイズを拡大することができる。
【００２０】
また、本発明に係るテレビジョン受像機は、上記表示制御装置を備えたことを特徴とする。
【００２１】
本発明によれば、上記表示制御装置と同様の効果を奏するテレビジョン受像機を提供することができる。
【００２２】
また、本発明に係る表示制御方法は、表示手段の画面表示を制御する表示制御方法であって、予め定められた条件を満たす選局操作が、予め定められた回数行われた場合、前記表示手段の画面表示を、複数画面表示に切り替える表示画面制御工程を含むことを特徴とする。
【００２３】
本発明によれば、当該表示制御方法を表示制御装置が実行することにより、この表示制御装置は、上記表示制御装置と同様の効果を奏することができる。
【００２４】
また、本発明に係るプログラムは、コンピュータを上記表示制御装置として機能させるためのプログラムであって、前記コンピュータを前記表示制御装置が備える前記各手段として機能させるプログラムである。
【００２５】
本発明によれば、コンピュータが当該プログラムを実行することにより、このコンピュータは、上記表示制御装置と同様の効果を奏することができる。
【００２６】
また、本発明に係る記録媒体は、上記プログラムを記録しているコンピュータ読み取り可能な記録媒体である。
【００２７】
本発明によれば、上記表示制御装置と同様の効果を奏することができる上記プログラムを当該記録媒体により提供することができる。
【発明の効果】
【００２８】
本発明に係る通信機器、表示制御装置、テレビジョン受像機、表示制御方法、プログラム、および記録媒体によれば、事前の設定や切り替え操作を視聴者に行わせることなく、自動的に複数画面表示に切り替えることができるため、視聴する番組を決定する際の選局操作に係る、視聴者の手間を軽減することができる。
【図面の簡単な説明】
【００２９】
【図１】実施形態１に係るテレビジョン受像機の外観を示す図である。
【図２】実施形態１に係るテレビジョン受像機の構成を示すブロック図である。
【図３】実施形態１に係るテレビジョン受像機が備える表示制御機能の構成を示すブロック図である。
【図４】実施形態１に係るテレビジョン受像機による表示制御処理の手順を示すフローチャートである。
【図５】実施形態１に係るテレビジョン受像機における選局操作の一例を示す図である。
【図６】実施形態１に係るテレビジョン受像機における２画面表示の一例を示す図である。
【図７】実施形態２に係るテレビジョン受像機による表示制御処理の手順を示すフローチャートである。
【図８】実施形態２に係るテレビジョン受像機における選局操作の一例を示す図である。
【図９】実施形態２に係るテレビジョン受像機における２画面表示の一例を示す図である。
【図１０】実施形態に係るテレビジョン受像機による２画面表示の制御の一例を示す。
【発明を実施するための形態】
【００３０】
以下、本発明の実施形態について、図面を用いて説明する。
【００３１】
（実施形態１）
（テレビジョン受像機１００の概要）
まず、本発明に係る実施形態１について説明する。はじめに、図１を参照して、実施形態１に係るテレビジョン受像機１００の概要について説明する。図１は、実施形態１に係るテレビジョン受像機１００の外観を示す図である。
【００３２】
図１に示すテレビジョン受像機１００は、地上デジタル放送やＢＳ／ＣＳデジタル放送等の各種放送番組を、対応するアンテナおよびチューナによって受信し、受信した放送番組を再生することによって、これら各種放送番組を視聴者に視聴させることができる装置である。
【００３３】
テレビジョン受像機１００は、本体１０２およびリモコン１０４を備えて構成されている。本体１０２は、同軸ケーブルによって外部アンテナ１１０に接続されており、これにより、各放送局から放送された放送波を受信することが可能となっている。
【００３４】
リモコン１０４は、本体１０２とは別体に設けられており、テレビジョン受像機１００に対して、選局操作を含む各種操作を行うためのものである。
【００３５】
なお、本体１０２には、操作ボタン２５２が設けられている。テレビジョン受像機１００は、この操作ボタン２５２によっても、選局操作を含む各種操作を行うことが可能となっている。
【００３６】
（テレビジョン受像機１００の構成）
次に、図２を参照して、テレビジョン受像機１００の構成について説明する。図２は、実施形態１に係るテレビジョン受像機１００（本体１０２）の構成を示すブロック図である。
【００３７】
図２に示すように、テレビジョン受像機１００は、チューナユニット２００、ディスプレイ駆動回路２０８、ディスプレイ２１０、音声出力回路２１２、スピーカ２１４、制御回路２５０、操作ボタン２５２、リモコン受光部２５４、外部機器Ｉ／Ｆ２５６、および通信Ｉ／Ｆ２５８を備えている。
【００３８】
（チューナユニット）
チューナユニット２００は、チューナ２０２、デモジュレータ２０４、デマルチプレクサ２０６を有している。
【００３９】
チューナ２０２は、地上デジタル放送やＢＳ／ＣＳデジタル放送等の各種放送番組の放送波を外部アンテナ１１０を介して受信する。チューナ２０２によって受信された放送波は、デモジュレータ２０４に供給される。
【００４０】
デモジュレータ２０４は、供給された放送波を復調することによってＴＳ（Transport Stream）を得る。デモジュレータ２０４によって得られたＴＳは、デマルチプレクサ２０６に供給される。
【００４１】
デマルチプレクサ２０６は、供給されたＴＳから映像信号および音声信号を分離する。デマルチプレクサ２０６によってＴＳから分離された映像信号（圧縮ビデオデータ）は、図示を省略するビデオデコーダによってデコードされ、デジタルビデオデータとなって、ディスプレイ駆動回路２０８へ供給される。一方、デマルチプレクサ２０６によってＴＳから分離された音声信号（圧縮音声データ）は、図示を省略するオーディオデコーダによってデコードされ、デジタルオーディオデータとなって、音声出力回路２１２へ供給される。
【００４２】
（ディスプレイ駆動回路、ディスプレイ）
ディスプレイ駆動回路２０８は、供給された映像信号に応じてディスプレイ２１０を駆動することにより、放送番組を構成する映像を、ディスプレイ２１０に表示させる。本実施形態のテレビジョン受像機１００は、ディスプレイ２１０として、液晶ディスプレイを採用しているが、これ以外にも、有機ＥＬディスプレイ、プラズマディスプレイ、ブラウン管ディスプレイ等が採用され得る。
【００４３】
（音声出力回路、スピーカ）
音声出力回路２１２は、供給された音声信号に応じてスピーカ２１４を駆動することにより、放送番組を構成する音声をスピーカ２１４から出力させる。
【００４４】
（制御回路）
制御回路２５０は、ＣＰＵ、ＲＯＭ、ＲＡＭ等によって構成されており、ＲＯＭ、ＲＡＭ等に記録されているプログラムをＣＰＵが実行することにより、テレビジョン受像機１００の各部を制御する。
【００４５】
（操作ボタン、リモコン受光部）
操作ボタン２５２は、テレビジョン受像機１００の本体１０２に設けられており、テレビジョン受像機１００に対する各種操作を行うためのものである。
【００４６】
リモコン受光部２５４は、リモコン１０４により発せられた赤外光を受光することにより、リモコン１０４によるテレビジョン受像機１００に対する各種遠操作を受け付けるためのものである。
【００４７】
すなわち、テレビジョン受像機１００は、リモコン１０４による操作と、操作ボタン２５２による操作との双方を行うことが可能となっている。ユーザは、リモコン１０４または操作ボタン２５２を操作することによって、テレビジョン受像機１００に対して、電源のＯＮ／ＯＦＦ、選局、音量調整、入力切り替え、各種設定、録画、再生等の操作を行うことができる。
【００４８】
（外部機器Ｉ／Ｆ）
外部機器Ｉ／Ｆ２５６は、外部機器へのアクセスを制御する。例えば、テレビジョン受像機１００は、ＢＤレコーダやＨＤＤレコーダ等のレコーダを接続することにより、このレコーダに放送番組を録画したり、このレコーダに録画されている放送番組を再生したりすることができる。その際、レコーダへのアクセスは、この外部機器Ｉ／Ｆ２５６によって制御されることとなる。
【００４９】
（通信Ｉ／Ｆ）
通信Ｉ／Ｆ２５８は、ＬＡＮやインターネット等の通信ネットワークへのアクセスを制御する。例えば、テレビジョン受像機１００は、インターネットに接続することにより、インターネットから放送番組をダウンロードして再生したり、インターネットからテレビ番組情報等の各種情報を取得して表示したり、インターネットに対して懸賞の応募情報等の各種情報を送信したりすることができる。その際、インターネットへのアクセスは、この通信Ｉ／Ｆ２５８によって制御されることとなる。
【００５０】
（Ｗチューナ、複数画面表示）
ここで、本実施形態のテレビジョン受像機１００は、２つのチューナユニット２００（チューナユニットＡおよびチューナユニットＢ）が設けられており、それぞれが独立して動作することができる。すなわち、２つのチューナユニット２００は、互いに異なる放送局の放送番組を出力することができる。
【００５１】
これに応じて、本実施形態のテレビジョン受像機１００は、表示制御部２２０および音声切替部２３０をさらに備えており、これらの制御によって、いずれか一方のチューナユニットから出力された映像信号を用いて、ある１つの放送番組を１画面表示したり、双方のチューナユニットの各々から出力された映像信号を用いて、ある２つの放送番組を２画面表示したり、一方のチューナユニット２００を用いてある放送番組を視聴しつつ、他方のチューナユニット２００を用いて他の放送番組を録画したりすることが可能となっている。
【００５２】
例えば、いずれか一方のチューナユニット２００から出力された１つの放送番組を１画面表示する場合、表示制御部２２０によって、その放送番組の映像信号が選択的にディスプレイ駆動回路２０８へ出力され、音声切替部２３０によって、その放送番組の音声信号が選択的に音声出力回路２１２へ出力される。
【００５３】
また、双方のチューナユニット２００から出力された２つの放送番組を２画面表示する場合、表示制御部２２０によって、２つの放送番組が所定のレイアウトで２画面表示されるように、２つの放送番組の各々の映像信号がディスプレイ駆動回路２０８へ出力される。
【００５４】
このとき、音声が出力されない場合もあるし、音声切替部２３０によって、いずれか一方の放送番組（例えば、優先度の高い放送番組）の音声信号が選択的に音声出力回路２１２へ出力される場合もある。
【００５５】
さらに、本実施形態のテレビジョン受像機１００は、表示制御部２２０の制御によって、放送番組だけでなく、文字放送データや、電子番組表、各種設定画面等を表示することも可能となっている。
【００５６】
（表示制御機能）
ここで、本実施形態のテレビジョン受像機１００は、ディスプレイ２１０の画面表示を制御する表示制御機能として、予め定められた条件を満たす選局操作が、予め定められた回数行われると、ディスプレイ２１０の表示画面を自動的に２画面表示に切り替える機能を備えている。例えば、この表示制御機能は、図２に示した表示制御部２２０によって実現される。以下、図３〜図６を参照して、この表示制御機能について、具体的に説明する。
【００５７】
（表示制御機能の構成）
まず、図３を参照して、テレビジョン受像機１００が備える表示制御機能の構成について説明する。図３は、実施形態１に係るテレビジョン受像機１００が備える表示制御機能の構成を示すブロック図である。図３に示すように、テレビジョン受像機１００の表示制御部２２０は、選局操作受付部３０２、選局部３０４、記憶部３０６、タイマ部３０８、判断部３１０、表示画面制御部３１２、表示画面生成部３１４、番組表データ取得部３１６、および電子番組表生成部３１８を有している。
【００５８】
（選局操作受付部３０２）
選局操作受付部３０２は、テレビジョン受像機１００に対する選局操作を受け付ける。既に説明したとおり、視聴者は、リモコン１０４または操作ボタン２５２を操作することにより、テレビジョン受像機１００に対する選局操作を行う。
【００５９】
具体的には、選局操作は、各チャンネルが割り当てられた複数の数字ボタン、または「チャンネル」等と併記されている上下ボタン等によって行われる。前者の場合、ある数字ボタンが押下されると、その数字ボタンに割り当てられている放送局が直接選局されるようになっている。後者の場合、上下ボタンが押下されると、現在選局されている放送局に前後する放送局が選局されるようになっている。将来的には、ユーザのモーションや、音声入力等によって選局操作がなされることも考え得る。
【００６０】
このような選局操作に応じて、リモコン１０４または操作ボタン２５２からは、選局操作に応じた制御信号が送られてくる。例えば、この制御信号には、選局されたチャンネル（放送局の識別番号）や、チャンネルのアップ／ダウンが示されている。選局操作受付部３０２は、この制御信号を受信することにより、テレビジョン受像機１００に対する選局操作を受け付けることとなる。
【００６１】
（選局部３０４）
選局部３０４は、選局操作受付部３０２によって選局操作が受け付けられると、その選局操作に応じた選局処理を行う。例えば、選局部３０４は、上記選局操作によって選局されたチャンネルや、チャンネルのアップ／ダウンを、チューナユニット２００に対して指示する。これに応じて、チューナユニット２００は、外部アンテナ１１０を介して受信した複数の放送波の中から、指示に応じたチャンネルの放送波を抽出し、このチャンネルの放送番組の映像信号および音声信号を出力する。これにより、ディスプレイ２１０には、選局されたチャンネルの放送番組を構成する映像が表示され、スピーカ２１４からは、その放送番組を構成する音声が出力されることとなる。
【００６２】
選局部３０４は、視聴者によって選局操作が行われ、この選局操作を選局操作受付部３０２が受け付ける毎に、上記のとおり、その選局操作に応じた選局処理を行う。
【００６３】
（番組表データ取得部３１６）
番組表データ取得部３１６は、各放送番組の番組表データを取得する。例えば、チューナユニット２００が受信した放送波には、映像信号に番組表データが重畳されている。そこで、番組表データ取得部３１６は、チューナユニット２００から受信した映像信号から番組表データを抽出することにより、番組表データを取得することができる。
【００６４】
（電子番組表生成部３１８）
電子番組表生成部３１８は、番組表データ取得部３１６が取得した各放送番組の番組表データを用いて、電子番組表を生成する。
【００６５】
（表示画面生成部３１４）
表示画面生成部３１４は、表示用の画面を生成する。具体的には、表示画面生成部３１４は、放送番組や、電子番組表、文字放送データ等が、予め定められた表示レイアウトで表示されるように、その表示用の画面を生成する。
【００６６】
例えば、表示モードとして「１画面表示」が選択されている場合、表示画面生成部３１４は、各チューナユニット２００から受信した放送番組を１画面表示するための画面を生成する。
【００６７】
また、表示モードとして「２画面表示」が選択されている場合、各チューナユニット２００から受信した放送番組を２画面表示するための画面を生成する。
【００６８】
上記各表示モードの切り替えは、リモコン１０４、操作ボタン２５２、または表示画面制御部３１２によってなされる。
【００６９】
また、電子番組表の表示が指示された場合、表示画面生成部３１４は、電子番組表生成部３１８によって生成された電子番組表を表示するための画面を生成する。電子番組表の表示の指示は、例えば、リモコン１０４の所定のキーが選択されることによってなされる。
【００７０】
また、文字放送データの表示が指示された場合、表示画面生成部３１４は、電子番組表生成部３１８によって生成された電子番組表を表示するための画面を生成する。文字放送データの表示の指示は、例えば、リモコン１０４の所定のキーが選択されることによってなされる。
【００７１】
表示画面生成部３１４によって生成された画面は、ディスプレイ駆動回路２０８に供給され、ディスプレイ２１０に表示されることになる。
【００７２】
（記憶部３０６）
記憶部３０６は、判断部３１０による判断条件を記憶する。具体的には、後述するように、判断部３１０は、ディスプレイ２１０の画面表示を、２画面表示に切り替えるか否かの判断処理を行う。記憶部３０６は、この判断処理のための判断条件を記憶する。例えば、記憶部３０６は、上記判断条件として、間隔Ｔ、および回数Ｎを記憶する。これら判断条件は、予め定められており、例えば、製品の出荷時に、既に記憶部３０６に格納されている。なお、これら判断条件は、製品の出荷後に、視聴者等の設定により、任意の値が記憶部３０６に格納されてもよい。
【００７３】
（タイマ部３０８）
タイマ部３０８は、選局操作の間隔を計測する。例えば、タイマ部３０８は、はじめに選局操作が行われると、選局操作の間隔の計測を開始する。そして、次の選局操作が行われると、選局操作の間隔の計測を終了する。これと同時に、タイマ部３０８は、次の選局操作の間隔の計測を開始する。タイマ部３０８は、これを繰り返し行うことにより、選局操作の間隔を、繰り返し計測する。
【００７４】
（判断部３１０）
判断部３１０は、ディスプレイ２１０の画面表示を、複数画面表示に切り替えるか否かを判断する。具体的には、判断部３１０は、間隔Ｔよりも短い間隔で行われた選局操作が、Ｎ回行われた場合、ディスプレイ２１０の画面表示を、複数画面表示に切り替えると判断する。
【００７５】
判断部３１０は、選局操作が行われるごとに、タイマ部３０８によって計測されたその選局操作が行われるまでの間隔と、記憶部３０６に記憶されている間隔Ｔとを比較することによって、その選局操作の間隔が間隔Ｔよりも短いか否かを判断することができる。
【００７６】
そして、判断部３１０は、“間隔Ｔよりも短い間隔で行われた”と判断された選局操作の回数をカウントすることにより、間隔Ｔよりも短い間隔で行われた選局操作が、Ｎ回行われたか否かを判断することができる。
【００７７】
なお、判断部３１０は、間隔Ｔよりも短い間隔で行われた選局操作が、連続で行われなくとも、予め定められた時間内にＮ回行われた場合、“ディスプレイ２１０の画面表示を、複数画面表示に切り替える”と判断するようにしてもよい。
【００７８】
（表示画面制御部３１２）
表示画面制御部３１２は、ディスプレイの画面表示を制御する。例えば、表示画面制御部３１２は、ディスプレイ２１０の画面表示の複数画面表示への切り替えを制御する。
【００７９】
特に、表示画面制御部３１２は、“ディスプレイ２１０の画面表示を、複数画面表示に切り替える”と判断部３１０によって判断された場合、これに応じて、ディスプレイ２１０の画面表示を、複数画面表示に切り替える。複数画面表示とは、複数の放送局の放送番組を複数の画面（ここでいう画面とは、ソフトウェア的に定義された表示領域である。ディスプレイの表示パネルの表示領域（すなわち、ハードウェア的な表示領域）を画面と呼ぶこともあるが、これとは異なるものである。）により同時に表示する表示モードを示す。
【００８０】
特に、本実施形態では、表示画面制御部３１２は、ディスプレイ２１０の画面表示を２画面表示に切り替え、２つの放送局の放送番組を２つの画面により同時に表示することが可能となっている。
【００８１】
（他の機能）
表示制御部２２０は、上記した機能以外にも、表示画面のサイズや、明るさ、色などを調整する機能等を有している。これらの機能は、一般的なテレビジョン装置が備える機能のため、詳細な説明は省略する。
【００８２】
（表示制御処理の手順）
次に、図４を参照して、テレビジョン受像機１００による表示制御処理の手順について説明する。図４は、実施形態１に係るテレビジョン受像機１００による表示制御処理の手順を示すフローチャートである。
【００８３】
この表示制御処理は、例えば、放送番組の視聴中であり、かつディスプレイ２１０の画面表示が１画面表示となっているときに、表示制御部２２０によって実行される。なお、テレビジョン受像機１００は、この表示制御処理を実行するか否か（すなわち、各条件が満たされた場合に自動的に２画面表示に切り替えるか否か）をユーザが任意に設定できるように構成されていてもよい。
【００８４】
まず、選局操作受付部３０２により、最初の選局操作を受け付けると（ステップＳ４０２）、表示制御部２２０は、カウント変数ｎを初期化（ｎ＝０）し（ステップＳ４０４）、タイマ部３０８の計測値ｔをリセットし（ステップＳ４０６）、タイマ部３０８による計測を開始させる（ステップＳ４０８）。
【００８５】
その後、選局操作受付部３０２により、次の選局操作を受け付けると（ステップＳ４１０）、判断部３１０により、タイマ部３０８の計測値ｔが、記憶部３０６に記憶されている間隔Ｔよりも小さいか否かを判断する（ステップＳ４１２）。
【００８６】
ステップＳ４１２において、計測値ｔが間隔Ｔよりも大きいと判断された場合（ステップＳ４１２：Ｎｏ）、表示制御部２２０は、処理をステップＳ４０４へ戻す。
【００８７】
一方、ステップＳ４１２において、計測値ｔが間隔Ｔよりも小さいと判断された場合（ステップＳ４１２：Ｙｅｓ）、表示制御部２２０は、カウント変数ｎに１を追加する（ステップＳ４１４）。そして、判断部３１０により、カウント変数ｎが回数Ｎに達したか否かを判断する（ステップＳ４１６）。
【００８８】
ステップＳ４１６において、カウント変数ｎが回数Ｎに達していないと判断された場合（ステップＳ４１６：Ｎｏ）、表示制御部２２０は、処理をステップＳ４０６へ戻す。
【００８９】
一方、ステップＳ４１６において、カウント変数ｎが回数Ｎに達したと判断された場合（ステップＳ４１６：Ｙｅｓ）、表示画面制御部３１２により、ディスプレイ２１０の画面表示を、２画面表示に切り替える（ステップＳ４１８）。そして、表示制御部２２０は、表示制御処理を終了する。
【００９０】
上記表示制御処理において、表示制御部２２０は、カウント変数ｎが回数Ｎに達したと判断された場合（ステップＳ４１６：Ｙｅｓ）、ディスプレイ２１０の画面表示を２画面表示に切り替えるか否かのメッセージ（例えば、「ザッピングモードに切り替えますか？」）をディスプレイ２１０に表示する等して、２画面表示に切り替えるか否かをユーザに選択させ、２画面表示へ切り替えることが選択された場合に、ディスプレイ２１０の画面表示を２画面表示に切り替え、反対に、２画面表示へ切り替えないことが選択された場合には、ディスプレイ２１０の画面表示を２画面表示に切り替えないようにしてもよい。
【００９１】
なお、テレビジョン受像機１００は、上記表示制御処理による場合に限らず、リモコン１０４の２画面表示ボタンが選択される等、２画面表示へ切り替えるための操作がユーザによってなされた場合も、そのタイミングで２画面表示へ切り替えることもできる。
【００９２】
（画面表示切り替えの具体例）
次に、図５および図６を参照して、実施形態１に係るテレビジョン受像機１００における画面表示切り替えの具体例について説明する。図５は、実施形態１に係るテレビジョン受像機１００における選局操作の一例を示す図である。図６は、実施形態１に係るテレビジョン受像機１００における２画面表示の一例を示す図である。
【００９３】
図５に示す例では、チャンネルボタンまたはチャンネルアップ／ダウンボタンによる、４回の選局操作が行われた例を図示している。ここで、各選局操作の間隔をｔ１、ｔ２、ｔ３、ｔ４とする。また、間隔Ｔとして「１秒」が、回数Ｎとして「４回」が、予め設定されているとする。
【００９４】
このような条件のもと、間隔ｔ１〜ｔ４のいずれもが、「１秒」よりも短い場合、すなわち、間隔Ｔとして設定されている「１秒」よりも短い選局操作が、回数Ｎとして設定されている「４回」連続して行われた場合、テレビジョン受像機１００は、ディスプレイ２１０の画面表示を自動的に２画面表示へ切り替える。
【００９５】
図６に示す画面６００は、上記切り替えにより、ディスプレイ２１０に表示される画面の一例である。この画面６００においては、画面６０２と画面６０４とが横方向に並べて２画面表示されている。
【００９６】
例えば、２画面表示に切り替えられたときに、画面６０２および画面６０４で選局される放送局は、各チューナユニットによって２画面表示の直前まで選局されていた放送局である。
【００９７】
例えば、視聴者は、画面６０２または画面６０４を選択し、選択した画面に対する選局操作を個別に行うことができる。また、視聴者は、画面６０２または画面６０４を選択し、選択した画面に表示されている番組の１画面表示に切り替えることもできる。
【００９８】
視聴者は、このような２画面表示により、複数の番組を同時に視聴することができるので、これから視聴する番組の検討を効率的に行うことができる。また、視聴者は、この２画面表示により、複数の番組を同時に視聴し続けることもできる。
【００９９】
表示制御部２２０は、このように２画面表示されている状態から、この２画面表示を続けてもよく、自動的に１画面表示への切り替えを行うようにしてもよい。例えば、表示制御部２２０は、２画面表示に切り替えられてから所定時間が経過した後、自動的に１画面表示へ切り替えたり、２画面表示に切り替えられてからさらなる選局操作が行われずに所定時間が経過した後、自動的に１画面表示へ切り替えたりしてもよい。
【０１００】
（効果）
以上のように、本実施形態のテレビジョン受像機１００は、予め定められた間隔よりも短い間隔で行われた選局操作が、予め定められた回数行われた場合、ディスプレイ２１０の画面表示を、自動的に複数画面表示に切り替えることとした。
【０１０１】
これにより、視聴者は、事前の設定や切り替え操作を行わなくとも、複数画面表示に切り替えることができる。
【０１０２】
また、視聴者は、複数画面表示により、複数の放送番組の内容を同時に確認することができるため、視聴する番組の検討を効率的に行うことができる。
【０１０３】
したがって、本実施形態のテレビジョン受像機１００によれば、視聴する番組を決定する際の選局操作に係る、視聴者の手間を軽減することができる。
【０１０４】
（実施形態２）
次に、本発明に係る実施形態２について説明する。この実施形態２は、２画面表示に切り替えるか否かを判断するための判断条件が、実施形態１と異なる。この相違点以外は、実施形態１と同様である。このため、以下では、実施形態１との相違点について説明する。
【０１０５】
（タイマ部３０８）
この実施形態２では、タイマ部３０８は、はじめの選局操作が開始されてからの経過時間を計測する。例えば、タイマ部３０８は、はじめに選局操作が行われると、選局操作が開始されてからの経過時間ｔの計測を開始する。そして、タイマ部３０８は、上記経過時間が、予め定められた設定時間Ｔに達すると、当該経過時間の計測を終了する。そして、次の選局操作が行われると、次の上記経過時間の計測を開始する。タイマ部３０８は、これを繰り返し行うことにより、選局操作が開始されてからの経過時間ｔを、繰り返し計測する。
【０１０６】
（判断部３１０）
この実施形態２では、判断部３１０は、予め定められた設定時間Ｔ内に、複数の放送局の各々を選局する選局操作が予め定められた回数であるＮ回行われた場合、ディスプレイ２１０の画面表示を、上記複数の放送局の各々が選局された状態の複数画面表示に切り替えると判断する。
【０１０７】
例えば、判断部３１０は、経過時間ｔの計測開始時からの、各放送局の選局操作が行われた回数をカウントし、経過時間ｔが設定時間Ｔに達する前に、カウント数がＮ回に達した放送局が複数発生した場合、これら複数の放送局の各々が選局された状態の複数画面表示に切り替えると判断する。
【０１０８】
（表示画面制御部３１２）
表示画面制御部３１２は、“ディスプレイ２１０の画面表示を、複数の放送局の各々が選局された状態の複数画面表示に切り替える”と判断部３１０によって判断された場合、これに応じて、ディスプレイ２１０の画面表示を、複数の放送局の各々が選局された状態の複数画面表示に切り替える。
【０１０９】
例えば、上記設定時間Ｔ内に、１ｃｈおよび８ｃｈの各々に対して、選局操作がＮ回行われた場合、表示画面制御部３１２は、ディスプレイ２１０の画面表示を、１ｃｈおよび８ｃｈ各々が選局された状態の２画面表示に切り替える。
【０１１０】
（表示制御処理の手順）
次に、図７を参照して、テレビジョン受像機１００による表示制御処理の手順について説明する。図７は、実施形態２に係るテレビジョン受像機１００による表示制御処理の手順を示すフローチャートである。
【０１１１】
この表示制御処理は、例えば、放送番組の視聴中であり、かつディスプレイ２１０の画面表示が１画面表示となっているときに、表示制御部２２０によって実行される。なお、テレビジョン受像機１００は、この表示制御処理を実行するか否か（すなわち、各条件が満たされた場合に自動的に２画面表示に切り替えるか否か）をユーザが任意に設定できるように構成されていてもよい。
【０１１２】
まず、選局操作受付部３０２により、最初の選局操作を受け付けると（ステップＳ７０２）、表示制御部２２０は、各放送局のカウント変数ｎをそれぞれ初期化（ｎ＝０）し（ステップＳ７０４）、タイマ部３０８の経過時間ｔをリセットし（ステップＳ７０６）、タイマ部３０８による経過時間ｔの計測を開始させる（ステップＳ７０８）。
【０１１３】
その後、判断部３１０により、経過時間ｔが、記憶部３０６に記憶されている設定時間Ｔよりも大きいか否かを判断する（ステップＳ７１０）。
【０１１４】
ステップＳ７１０において、経過時間ｔが設定時間Ｔよりも大きいと判断された場合（ステップＳ７１０：Ｙｅｓ）、表示制御部２２０は、処理をステップＳ７０４へ戻す。
【０１１５】
一方、ステップＳ７１０において、経過時間ｔが設定時間Ｔよりも小さいと判断された場合（ステップＳ７１０：Ｎｏ）、選局操作受付部３０２により、次の選局操作を受け付けたか否かを判断する（ステップＳ７１２）。
【０１１６】
ステップＳ７１２において、次の選局操作を受け付けていないと判断された場合（ステップＳ７１２：Ｎｏ）、表示制御部２２０は、処理をステップＳ７１０へ戻す。
【０１１７】
一方、ステップＳ７１２において、次の選局操作を受け付けたと判断された場合（ステップＳ７１２：Ｙｅｓ）、判断部３１０により、選局された放送局のカウント変数ｎに１を追加する（ステップＳ７１４）。例えば、選局された放送局が「１ｃｈ」であれば、「１ｃｈ」のカウント変数ｎに１を追加し、「８ｃｈ」であれば、「８ｃｈ」のカウント変数ｎに１を追加する。
【０１１８】
そして、判断部３１０により、１が追加されたカウント変数ｎが回数Ｎに達したか否かを判断する（ステップＳ７１６）。
【０１１９】
ステップＳ７１６において、カウント変数ｎが回数Ｎに達していないと判断された場合（ステップＳ７１６：Ｎｏ）、表示制御部２２０は、処理をステップＳ７１０へ戻す。
【０１２０】
一方、ステップＳ７１６において、カウント変数ｎが回数Ｎに達したと判断された場合（ステップＳ７１６：Ｙｅｓ）、判断部３１０により、複数の放送局のカウント変数ｎが回数Ｎに達したか否かを判断する（ステップＳ７１８）。
【０１２１】
ステップＳ７１８において、複数の放送局のカウント変数ｎが回数Ｎに達していないと判断された場合（ステップＳ７１８：Ｎｏ）、表示制御部２２０は、処理をステップＳ７１０へ戻す。
【０１２２】
一方、ステップＳ７１８において、複数の放送局のカウント変数ｎが回数Ｎに達したと判断された場合（ステップＳ７１８：Ｙｅｓ）、表示画面制御部３１２により、ディスプレイ２１０の画面表示を、この複数の放送局の各々が選局された状態の２画面表示に切り替える（ステップＳ７２０）。そして、表示制御部２２０は、表示制御処理を終了する。
【０１２３】
上記表示制御処理において、表示制御部２２０は、複数の放送局のカウント変数ｎが回数Ｎに達したと判断された場合（ステップＳ７１８：Ｙｅｓ）、ディスプレイ２１０の画面表示を２画面表示に切り替えるか否かのメッセージ（例えば、「＊＊ｃｈと＊＊ｃｈの２画面に切り替えますか？」）をディスプレイ２１０に表示する等して、２画面表示に切り替えるか否かをユーザに選択させ、２画面表示へ切り替えることが選択された場合に、ディスプレイ２１０の画面表示を２画面表示に切り替え、反対に、２画面表示へ切り替えないことが選択された場合には、ディスプレイ２１０の画面表示を２画面表示に切り替えないようにしてもよい。
【０１２４】
（画面表示切り替えの具体例）
次に、図８および図９を参照して、実施形態２に係るテレビジョン受像機１００における画面表示切り替えの具体例について説明する。図８は、実施形態２に係るテレビジョン受像機１００における選局操作の一例を示す図である。図９は、実施形態２に係るテレビジョン受像機１００における２画面表示の一例を示す図である。
【０１２５】
図８に示す例では、チャンネルボタンによる、４回の選局操作（２つの放送局の各々が、２回選局された操作）が行われた例を図示している。ここで、この４回の選局操作を開始してから終了するまでの経過時間をｔとする。また、設定時間Ｔとして「５秒」が、回数Ｎとして「２回」が、予め設定されているとする。
【０１２６】
このような条件のもと、経過時間ｔが「５秒」よりも短い場合、すなわち、設定時間Ｔとして設定されている「５秒」以内に、このように、２つの放送局の各々が、回数Ｎとして設定されている「２回」以上選局された場合、テレビジョン受像機１００は、ディスプレイ２１０の画面表示を自動的に、上記２つの放送局の２画面表示へ切り替える。
【０１２７】
図９に示す画面９００は、上記切り替えにより、ディスプレイ２１０に表示される画面の一例である。この画面９００においては、画面９０２と画面９０４とが横方向に並べて２画面表示されている。画面９０２は、上記選局操作における一方の放送局（１ｃｈ）が選局されている状態となっており、画面９０４は、上記選局操作における他方の放送局（８ｃｈ）が選局されている状態となっている。
【０１２８】
視聴者は、このような２画面表示により、候補としていた複数の番組を同時に視聴することができるので、これから視聴する番組の検討を効率的に行うことができる。また、視聴者は、この２画面表示により、候補としていた複数の番組を同時に視聴し続けることもできる。
【０１２９】
なお、このように２画面表示された場合も、例えば、視聴者は、画面９０２または画面９０４を選択し、選択した画面に対する選局操作を個別に行うことができる。また、視聴者は、画面９０２または画面９０４を選択し、選択した画面の１画面表示に切り替えることもできる。
【０１３０】
表示制御部２２０は、このように２画面表示されている状態から、この２画面表示を続けてもよく、自動的に１画面表示への切り替えを行うようにしてもよい。例えば、表示制御部２２０は、２画面表示に切り替えられてから、一方の画面に表示されている番組が終了した場合、他方の画面に表示されている番組の１画面表示へ切り替えるようにしてもよい。
【０１３１】
（効果）
以上のように、本実施形態のテレビジョン受像機１００は、予め定められた時間内に、２以上の放送局の各々に対し、この放送局を選局する選局操作予め定められた回数行われた場合、ディスプレイ２１０の画面表示を、自動的に複数画面表示に切り替えることとした。
【０１３２】
これにより、視聴者は、事前の設定や切り替え操作を行わなくとも、複数画面表示に切り替えることができる。
【０１３３】
また、視聴者は、この複数画面表示により、候補としていた複数の放送番組の内容を同時に確認することができるため、視聴する番組の検討を効率的に行うことができる。
【０１３４】
したがって、本実施形態のテレビジョン受像機１００によれば、視聴する番組を決定する際の選局操作に係る、視聴者の手間を軽減することができる。
【０１３５】
（２画面表示の制御の一例）
図１０は、実施形態に係るテレビジョン受像機１００による２画面表示の制御の一例を示す。テレビジョン受像機１００は、ディスプレイ２１０の画面表示が２画面表示となっている状態で、図１０に示すような２画面表示の制御を行うことができる。このような２画面表示の制御は、例えば、図３に示した表示画面制御部３１２によって実現される。
【０１３６】
図１０（ａ）〜（ｈ）のそれぞれは、テレビジョン受像機１００による画面表示の表示形態の一例を示している。
【０１３７】
特に、図１０（ａ）〜（ｇ）のそれぞれは、テレビジョン受像機１００による２画面表示の表示形態の一例を示している。
【０１３８】
このうち、図１０（ａ）〜（ｈ）では、いずれも、画面１００２と画面１００４とが横方向に並べて２画面表示されており、画面１００２では第１の放送局（８ｃｈ）が選局されており、画面１００４では第２の放送局（１ｃｈ）が選局されている点では同じであるが、画面１００２のサイズと、画面１００４のサイズとの比率（以下、「画面サイズ比」と示す。）が異なる。
【０１３９】
例えば、図１０（ａ）では、上記画面サイズ比が、概ね５０：５０となっている。例えば、各実施形態で説明した手順によって、自動的に２画面表示に切り替えられた際、この図１０（ａ）の状態となり得る。または、ユーザが直接的に２画面表示に切り替えた場合も、この図１０（ａ）の状態となり得る。
【０１４０】
図１０（ａ）の状態から、第１の放送局または第２の放送局が選局された場合、選局された放送局に応じて、上記画面サイズ比が変更される。
【０１４１】
例えば、図１０（ａ）の状態から、第１の放送局が選局された場合、画面１００２のサイズの比率が高くなるように、上記画面サイズ比が変更され、テレビジョン受像機１００による２画面表示は、図１０（ｅ）の状態（画面サイズ比＝概ね６０：４０）となる。
【０１４２】
繰り返し第１の放送局が選局されることにより、その都度、画面１００２のサイズの比率が高くなるように、上記画面サイズ比が変更され、図１０（ｇ）に示すように、最終的には、画面１００２の１画面表示となる。
【０１４３】
途中で、第２の放送局が選局された場合、その都度、上記画面サイズ比は、変更される前の状態に戻されていく。
【０１４４】
反対に、図１０（ａ）の状態から、第２の放送局が選局された場合、画面１００４のサイズの比率が高くなるように、上記画面サイズ比が変更され、テレビジョン受像機１００による２画面表示は、図１０（ｅ）の状態（画面サイズ比＝概ね４０：６０）となる。
【０１４５】
同様に、繰り返し第２の放送局が選局されることにより、その都度、画面１００４のサイズの比率が高くなるように、上記画面サイズ比が変更され、図１０（ｄ）に示すように、最終的には、画面１００４の１画面表示となる。
【０１４６】
同様に、途中で、第１の放送局が選局された場合、その都度、上記画面サイズ比は、変更される前の状態に戻されていく。
【０１４７】
なお、図１０では、図１０（ａ）の状態において、他の放送局が選局された場合には、図１０（ｈ）に示すように、その放送局（図１０（ｈ）の例では６ｃｈ）の画面１００６が１画面表示されることが示されているが、図１０（ｂ）〜（ｇ）の状態においても、他の放送局が選局された場合には、その放送局の画面１００６が１画面表示されることとなる。
【０１４８】
このように、実施形態のテレビジョン受像機１００によれば、２画面表示されている状態において、一方の放送局を選局することで、その放送局の画面のサイズを拡大することができる。また、一方の放送局を繰り返し選局することで、その放送局の画面のサイズを徐々に拡大することができる。これにより、ユーザは、拡大された画面によって、気になる放送局の番組の内容の詳細を容易に確認することができる。
【０１４９】
特に、選局操作に伴って画面のサイズを拡大することができるので、ユーザは、２画面表示への切り替えボタンや拡大／縮小ボタンを探し出したり、慣れない操作を行ったりする必要がなく、普段から使い慣れている選局操作によって、直感的かつ容易に、気になる放送局の画面サイズを拡大することができる。
【０１５０】
また、１画面表示とならない限り、他方の放送局の画面は表示され続けるので、ユーザは、気になる放送局の内容を確認しつつ、他方の放送局の内容を確認することもできる。これにより、例えば、ユーザは、他方の放送局の画面において、急に興味のある内容が表示された場合等にも、これを把握することができる。
【０１５１】
なお、上記例では、一方の画面のサイズを拡大した場合、他方の画面のサイズを縮小するようにしているが、他方の画面のサイズは固定されたままであってもよい。
【０１５２】
（プログラム、記憶媒体）
実施形態で説明したテレビジョン受像機１００の各機能は、集積回路（ＩＣチップ）上に形成された論理回路によってハードウェア的に実現してもよいし、ＣＰＵ（Central Processing Unit）を用いてソフトウェア的に実現してもよい。
【０１５３】
例えば、テレビジョン受像機１００は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の各種記憶装置（記録媒体）を備えている。そして、上記ＣＰＵが、上記各種記憶装置に格納されているプログラムを読み出し、このプログラムを実行することによって、テレビジョン受像機１００の各機能を実現することができる。
【０１５４】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類等を用いることができる。
【０１５５】
なお、上記プログラムは、通信ネットワークを介してテレビジョン受像機１００に供給されてもよい。この通信ネットワークは、少なくとも上記プログラムをテレビジョン受像機１００に伝送可能であればよく、その種類はどのようなものであっても良い。例えば、通信ネットワークとしては、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。
【０１５６】
また、上記プログラムをテレビジョン受像機１００に供給するための伝送媒体としても、どのような種類のものを利用しても良い。例えば、伝送媒体として、ＩＥＥＥ１３９４、ＵＳＢ、電力線搬送、ケーブルＴＶ回線、電話線、ＡＤＳＬ（Asymmetric Digital Subscriber Line）回線等の有線によるものを利用しても良い。また、伝送媒体として、ＩｒＤＡやリモコンのような赤外線、Ｂｌｕｅｔｏｏｔｈ（登録商標）、ＩＥＥＥ８０２１１無線、ＨＤＲ（High Data Rate）、ＮＦＣ（Near Field Communication）、ＤＬＮＡ、携帯電話網、衛星回線、地上波デジタル網等の無線によるものを利用しても良い。
【０１５７】
（補足説明）
本発明は上述した各実施形態に限定されるものではなく、請求項に示した範囲で種々の変更が可能であり、また、異なる実施形態にそれぞれ開示された技術的手段を適宜組み合わせて得られる実施形態についても本発明の技術的範囲に含まれる。
【０１５８】
（本発明の適用対象）
実施形態では、モニタとチューナとが一体化されているテレビジョン受像機に本発明を適用した例を説明しているが、本発明は、モニタとチューナとが別体となっているテレビジョン受像機にも適用することができる。
【０１５９】
また、実施形態では、本発明をテレビジョン受像機に適用した例を説明したが、少なくともチューナ機能を備えているものであれば、これ以外の装置にも、本発明を適用することができる。例えば、チューナ機能を備えたチューナ装置単体、レコーダ、パーソナルコンピュータ、スマートフォン、携帯電話機、ＰＤＡ、カーナビゲーション装置等にも、本発明を適用することができる。
【０１６０】
（複数画面表示の表示形態）
実施形態（図６、図９、および図１０）に示した２画面表示は、複数画面表示の単なる一例であり、本発明を適用するにあたり、複数画面表示の表示形態はどのようなものであってもよい。
【０１６１】
例えば、実施形態では、自動的に２画面表示に切り替えることとしているが、３画面以上の画面を含む複数画面表示に切り替えるようにしてもよい。
【０１６２】
また、実施形態では、複数の画面を横方向に並べて表示しているが、それ以外の方向に並べて表示したり、２つの画面を重ねて表示したりする等、複数の画面のレイアウトはどのようなものであってもよい。
【０１６３】
また、実施形態では、基本的に複数の画面のサイズを同じサイズとしているが、複数の画面のサイズを異なるサイズとしてもよい。
【０１６４】
また、複数画面表示の際の音声出力形態はどのようなものであってもよい。例えば、一つの画面に対応する音声のみを出力してもよく、複数の画面に対応する複数の音声の各々を出力してもよく、いずれの音声も出力しないようにしてもよい。
【０１６５】
また、２画面表示に切り替えられた際の放送番組の組み合わせはどのようなものであってもよい。例えば、地上デジタル放送同士の組み合わせ、ＢＳデジタル放送同士の組み合わせ、ＣＳデジタル放送同士の組み合わせ、地上デジタル放送とＢＳデジタル放送との組み合わせ、地上デジタル放送とＣＳデジタル放送との組み合わせ、ＢＳデジタル放送とＣＳデジタル放送との組み合わせが考え得るが、これ以外の組み合わせであってもよい。例えば、一方の画面に放送番組を表示し、他方の画面に電子番組表を表示してもよい。
【０１６６】
２つの画面に表示する内容をどのような組み合わせとするかは、予め設定されていてもよく、ユーザが任意に設定できるようにしてもよい。
【産業上の利用可能性】
【０１６７】
本発明は、チューナ機能を備えたテレビジョン受像機、チューナ装置、携帯電話機、スマートフォン、ＰＤＡ、パーソナルコンピュータ等の各種機器に適用することができる。
【符号の説明】
【０１６８】
１００  テレビジョン受像機（表示制御装置）
１０２  本体
１０４  リモコン
２００  チューナユニット
２１０  ディスプレイ（表示手段）
２５２  操作ボタン
２２０  表示制御部
３０２  選局操作受付部
３０４  選局部
３０６  記憶部
３０８  タイマ部
３１０  判断部
３１２  表示画面制御部（表示画面制御手段）
３１４  表示画面生成部
【図１】
2013115766.tif 000003
【図２】
2013115766.tif 000004
【図３】
2013115766.tif 000005
【図４】
2013115766.tif 000006
【図５】
2013115766.tif 000007
【図６】
2013115766.tif 000008
【図７】
2013115766.tif 000009
【図８】
2013115766.tif 000010
【図９】
2013115766.tif 000011
【図１０】
2013115766.tif 000012